(57)【要約】【課題】簡単な装置構成で、塵埃の舞い上がりを抑えつつ、配列された溝の清掃時間の短縮を図ることが可能な掃除機ヘッドを提供することを課題とする。【解決手段】掃除機ヘッド２０は、掃除機を構成するものである。この掃除機ヘッド２０は、掃除機の吸引ホース２２に着脱自在な掃除機ヘッド本体２４と、柔軟性のゴム体で構成され、掃除機ヘッド本体２４の吸引口側から延び出すように配列されている複数本の刷毛２６と、を備える。【選択図】図２
2015051117.tif 000002
【特許請求の範囲】
【請求項１】
掃除機を構成する掃除機ヘッドであって、
掃除機の吸引ホースに着脱自在な掃除機ヘッド本体と、
柔軟性のゴム体で構成され、前記掃除機ヘッド本体の吸引口側から延び出すように配列されている複数本の刷毛と、
を備えたことを特徴とする掃除機ヘッド。
【請求項２】
隣り合う前記刷毛の中心線同士の間隔である刷毛ピッチが、エスカレータの踏段の隣り合う溝の中心線同士の間隔である溝ピッチに合わせられていることを特徴とする請求項１記載の掃除機ヘッド。
【請求項３】
前記刷毛の配列位置が、エレベータの乗降口に形成された複数本の溝の位置に合わせられていることを特徴とする請求項１記載の掃除機ヘッド。
【請求項４】
前記刷毛の種類および寸法の少なくとも一方が、前記掃除機ヘッド本体の吸引口側の領域毎で異なっていることを特徴とする請求項１〜３のいずれか１項記載の掃除機ヘッド。
【請求項５】
前記刷毛の配列位置が可変とされていることを特徴とする請求項１〜４のいずれか１項記載の掃除機ヘッド。
【発明の詳細な説明】
【技術分野】
【０００１】
本発明の実施形態は、掃除機を構成する掃除機ヘッドに関する。
【背景技術】
【０００２】
多数本の溝が上面側に配列された足場が多用されている。例えば、エスカレータでは、踏段上面側に、踏段の出し入れ方向に沿って溝が配列され、クリーンルームでは、床に溝が配列されている。このような配列された溝では、溝内の塵埃を定期的に除去することが必要である（例えば特許文献１参照）。
【先行技術文献】
【特許文献】
【０００３】
【特許文献１】特開平7-265233号公報
【発明の概要】
【発明が解決しようとする課題】
【０００４】
ところで、多数本の溝が配列されている場合、掃除機を用いて各溝毎に塵埃をかき出して除去する方式では、清掃に時間がかかり、また、塵埃が舞い上がるという問題がある。
【０００５】
本発明は上記課題に鑑みてなされたものであり、簡単な装置構成で、塵埃の舞い上がりを抑えつつ、配列された溝の清掃時間の短縮を図ることが可能な掃除機ヘッドを提供することを課題とする。
【課題を解決するための手段】
【０００６】
本発明の実施形態に係る掃除機ヘッドは、掃除機を構成する掃除機ヘッドであり、この掃除機ヘッドは、掃除機の吸引ホースに着脱自在な掃除機ヘッド本体と、柔軟性のゴム体で構成され、掃除機ヘッド本体の吸引口側から延び出すように配列されている複数本の刷毛と、を備える。
【図面の簡単な説明】
【０００７】
【図１】第１実施形態の掃除機ヘッドで掃除されるエスカレータの全体斜視図である。
【図２】第１実施形態の掃除機ヘッドでエスカレータの踏段の溝が掃除されていくことの一例を説明する斜視図である。
【図３】第２実施形態の掃除機ヘッドでエレベータのドア用の溝が掃除されることの一例を説明する平面図である。
【発明を実施するための形態】
【０００８】
以下、に、添付図面を参照して、実施形態に係る釣合おもりおよびそれを備えたエレベータついて説明する。なお、本明細書で「塵埃」とは、溝に入り込んだ大きめのゴミも含む概念で記載している。
【０００９】
［第１実施形態］
まず、第１実施形態について説明する。図１は、本実施形態の掃除機ヘッドで掃除されるエスカレータの全体斜視図である。図２は、本実施形態の掃除機ヘッドでエスカレータの踏段の溝が掃除されていくことの一例を説明する斜視図である。
【００１０】
本実施形態の掃除機ヘッド２０は、エスカレータ１０の踏段１２の清掃に用いるもので、しかも、一般に使用される掃除機の吸引ホース２２に着脱自在である。この掃除機ヘッド２０は、吸引口側が幅広にされている掃除機ヘッド本体２４と、掃除機ヘッド２０の吸引口側から延び出すように一列に配列されている複数本（多数本）の柔軟性の刷毛２６と、を備えている。
【００１１】
刷毛２６はゴム体で構成されている。また、隣り合う刷毛２６の中心線同士の間隔である刷毛ピッチｄｂが、エスカレータ１０の踏段１２の隣り合う溝１４の中心線同士の間隔である溝ピッチｄｇと同じにされている。刷毛２６の長さ、横幅などの寸法は、溝１４内の塵埃を除去する上で好ましい寸法にされていて、清掃時に溝１４の底面に面接触する寸法とされている。
【００１２】
また、掃除機ヘッド本体２４の横幅などの寸法は、刷毛２６の本数などに応じて設定されている。
【００１３】
（作用、効果）
以下、本実施形態の作用、効果を説明する。本実施形態の掃除機ヘッド２０を用いてエスカレータ１０の踏段１２を清掃するには、掃除機の吸引ホース２２の吸引口に掃除機ヘッド２０を装着するとともに、掃除機を移動して掃除機ヘッド２０を掃除位置にまで移動させる。
【００１４】
本実施形態では、エスカレータ１０の踏段送り出し側の乗場、すなわち、乗員を下降させる方向に踏段１２が送り出されているときには上側乗場、乗員を上昇させる方向に踏段１２が送り出されているときには下側乗場、に掃除機を移動する。
【００１５】
そして、踏段１２の各溝１４内に各刷毛２６が入るように、掃除機ヘッド２０を載置する。刷毛２６は柔軟性であり、各刷毛２６が各溝１４の底面に面接触し、踏段１２の移動に伴って溝１４内の塵埃が刷毛２６に当接して刷毛２６と溝１４との間に滞留した塵埃が掃除機に吸引されていく。従って、簡単な装置構成で、塵埃の舞い上がりを抑えつつ、溝の清掃時間の短縮を図ることができる。
【００１６】
また、掃除機ヘッド本体２４は、一般の掃除機の吸引ホース２２に着脱自在とされており、掃除機ヘッド２０の利便性が高い。
【００１７】
なお、刷毛２６の配列位置が可変されていてもよい。これにより、溝ピッチｄｇが通常とは異なっていても、刷毛ピッチｄｂをこれに合わせて変更することができ、掃除機ヘッド２０の利便性が高くなる。
【００１８】
また、刷毛２６の種類および寸法の少なくとも一方が、掃除機ヘッド本体２４の吸引口側の領域毎（例えば、掃除する際に使用者側から見て右側端部の領域、左側端部の領域など）で異なっていてもよい。これにより、塵埃が溜りやすい溝では、刷毛２６を長くするなどして塵埃を効率的に除去することができる。
【００１９】
また、刷毛２６が掃除機ヘッド２０に着脱自在とされていてもよい。これにより、刷毛２６を取り外して洗浄することで、刷毛２６や掃除機ヘッド２０の寿命を大きく延ばすことができる。また、各刷毛毎に着脱自在とされていると、領域毎に刷毛２６の種類や寸法を変更する上で利便性が大変良い。
【００２０】
また、掃除機ヘッド２０を踏段１２上に載置する際に踏段１２の送り出しを停止しておき、この停止しているときに掃除機ヘッド２０を踏段１２上に載置してもよい。これにより、各刷毛２６を各溝１４内に確実に入れた上で溝１４内の塵埃除去の開始をすることができる。
【００２１】
また、本実施形態では、エスカレータ１０の踏段送り出し側の乗場で掃除する例で説明したが、刷毛２６を手前側（掃除機の使用者側）に延びるようにして踏段引き入れ側の乗場で掃除しても、同様の効果を奏することが可能である。
【００２２】
［第２実施形態］
次に、第２実施形態について説明する。図３は、本実施形態の掃除機ヘッドでエレベータのドア用の溝が掃除されることの一例を説明する平面図である。
【００２３】
本実施形態の掃除機ヘッド６０は、エレベータの乗降口の溝の清掃に用いるもので、しかも、一般に使用される掃除機の吸引ホース６２に着脱自在である。この掃除機ヘッド６０は、吸引口側が幅広にされている掃除機ヘッド本体６４と、掃除機ヘッド６０の吸引口側から延び出すように配列されている複数本の柔軟性の刷毛６６（６６ａ１、６６ａ２、６６ｂ１、６６ｂ２）と、を備えている。本実施形態では、刷毛６６はゴム体で構成されている。
【００２４】
また、図３に示すように、乗場フロアＮＦで乗場ドアおよびかごドアが開いた状態では、乗場ドア用の溝５４ａ１、５４ａ２、および、かごドア用の溝５４ｂ１、５４ｂ２が全て同じ高さで平行に位置している。なお、溝５４ａ１、５４ａ２は、乗場フロアＮＦ側に配置された乗降側加工板６９に形成され、溝５４ｂ１、５４ｂ２は、かご床ＫＦ側に配置された乗降側加工板５９に形成されている。本実施形態では、刷毛の本数は４本であり、刷毛６６ａ１、６６ａ２、６６ｂ１、６６ｂ２の配列位置が、それぞれ、溝５４ａ１、５４ａ２、５４ｂ１、５４ｂ２の位置に合わせられている。
【００２５】
刷毛６６ａ１、６６ａ２の長さ、横幅などの寸法は、それぞれ、溝５４ａ１、５４ａ２内の塵埃を除去する上で好ましい寸法にされていて、清掃時に溝５４ａ１、５４ａ２の底面に面接触する寸法とされている。刷毛６６ｂ１、６６ｂ２についても同様である。
【００２６】
本実施形態の掃除機ヘッド６０を用いてエレベータのドア用の溝５４を清掃するには、掃除機の吸引ホース６２の吸引口に掃除機ヘッド６０を装着するとともに、掃除するフロアのエレベータドアの近くにまで掃除機ヘッド６０を移動させる。
【００２７】
そして、そのフロアで乗りかごを停止させてドアを開き、溝５４ａ１、５４ａ２、５４ｂ１、５４ｂ２内にそれぞれ刷毛６６ａ１、６６ａ２、６６ｂ１、６６ｂ２が入るように、掃除機ヘッド６０を載置する。刷毛６６ａ１、６６ａ２、６６ｂ１、６６ｂ２は柔軟性であり、各刷毛が各溝の底面に面接触する。そして、掃除機ヘッド６０を溝５４に沿って移動させることで溝５４ａ１、５４ａ２、５４ｂ１、５４ｂ２内の塵埃がそれぞれ刷毛６６ａ１、６６ａ２、６６ｂ１、６６ｂ２に当接して刷毛６６と溝５４との間に滞留した塵埃が掃除機に吸引されていく。従って、簡単な装置構成で、塵埃の舞い上がりを抑えつつ、溝の清掃時間の短縮を図ることができる。
【００２８】
また、掃除機ヘッド本体６４は、一般の掃除機の吸引ホース６２に着脱自在とされており、掃除機ヘッド６０の利便性が高い。
【００２９】
また、本実施形態では、刷毛６６ａ１、６６ａ２、６６ｂ１、６６ｂ２の配列位置が可変とされていてもよい。これにより、溝５４ａ１、５４ａ２、５４ｂ１、５４ｂ２の配列位置毎に刷毛６６ａ１、６６ａ２、６６ｂ１、６６ｂ２の配列位置を変更することができ、掃除機ヘッド６０の利便性が高まる。
【００３０】
また、刷毛６６の種類および寸法の少なくとも一方が、掃除機ヘッド本体６４の吸引口側の領域毎、すなわち、刷毛６６ａ１、６６ａ２、６６ｂ１、６６ｂ２が取り付けられている領域毎で異なっていてもよい。これにより、塵埃が溜りやすい溝では、刷毛を長くするなどして塵埃を効率的に除去することができる。
【００３１】
また、各刷毛が掃除機ヘッド６０に着脱自在とされていてもよい。これにより、刷毛６６を取り外して洗浄することで、刷毛６６の寿命を大きく延ばすことができる。また、刷毛６６の本数を増減させる必要があるときに有効である。
【００３２】
また、本実施形態では刷毛６６が４本設けられている例で説明したが、４本より多くても少なくても複数本である限り、同様の効果を奏することができる。
【００３３】
以上、いくつかの実施形態を説明したが、これらの実施形態は、例として提示したものであり、発明の範囲はそれらに限定することは意図していない。エスカレータやエレベータ以外の配列された溝や、ブラインドを構成する羽根などにも適用可能である。ブラインドの羽根の清掃に用いる掃除機ヘッドとしては、隣り合う刷毛の中心線同士の間隔である刷毛ピッチが、ブラインドの隣り合う羽根の中心線同士の間隔である羽根ピッチに合わせられている。そして刷毛の長さ、横幅などの寸法は、羽根に付着している塵埃を除去する上で好ましい寸法にされていて、清掃時に羽根の両面に面接触する寸法とされていることが好ましい。
【００３４】
また、これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３５】
１０  エスカレータ
１２  踏段
１４  溝
２０  掃除機ヘッド
２２  吸引ホース
２４  掃除機ヘッド本体
２６  刷毛
５４ａ１  溝
５４ａ２  溝
５４ｂ１  溝
５４ｂ２  溝
６０  掃除機ヘッド
６２  吸引ホース
６４  掃除機ヘッド本体
６６ａ１  刷毛
６６ａ２  刷毛
６６ｂ１  刷毛
６６ｂ２  刷毛
ｄｂ  刷毛ピッチ
ｄｇ  溝ピッチ
【図１】
2015051117.tif 000003
【図２】
2015051117.tif 000004
【図３】
2015051117.tif 000005
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
掃除機を構成する掃除機ヘッドであって、
掃除機の吸引ホースに着脱自在な掃除機ヘッド本体と、
柔軟性のゴム体で構成され、前記掃除機ヘッド本体の吸引口側から延び出すように配列されている複数本の刷毛と、
を備え、
前記柔軟性のゴム体で構成された刷毛の種類および寸法の少なくとも一方が、前記掃除機ヘッド本体の吸引口側の領域毎で異なっており、かつ
前記刷毛の配列位置が清掃対象となる溝の配列位置毎に可変とされていることを特徴とする掃除機ヘッド。
【請求項２】
隣り合う前記刷毛の中心線同士の間隔である刷毛ピッチが、エスカレータの踏段の隣り合う溝の中心線同士の間隔である溝ピッチに合わせられていることを特徴とする請求項１記載の掃除機ヘッド。